(57)【要約】【課題】コストを掛けることなくしかも容易に吸音材を取付け得るようにする。【解決手段】内装パネル部材１の裏面側に吸音材２を当接状態で取付ける吸音材取付構造であって、吸音材２にスリット部３を形成すると共に、内装パネル部材１の裏面側に、スリット部３と対応してスリット部３内へ挿入可能な縦リブ部５を立設し、縦リブ部５の先端部に吸音材２を係止可能な横リブ部６を設けるようにしている。【選択図】図１
2008049721.tif 000002
【特許請求の範囲】
【請求項１】
内装パネル部材の裏面側に吸音材を当接状態で取付ける吸音材取付構造において、
吸音材にスリット部を形成すると共に、
内装パネル部材の裏面側に、スリット部と対応してスリット部内へ挿入可能な縦リブ部を立設し、該縦リブ部の先端部に吸音材を係止可能な横リブ部を設けたことを特徴とする吸音材取付構造。
【発明の詳細な説明】
【技術分野】
【０００１】
この発明は、吸音材取付構造に関するものである。
【背景技術】
【０００２】
自動車などの車両には、車室内の前部にインストルメントパネルなどの内装パネル部材が設けられている。このような内装パネル部材には、その裏面側に不織布やフェルト等の吸音材を当接状態で取付けたものが存在する。従来の内装パネル部材に対する吸音材の取付構造としては、クリップ止め（例えば、特許文献１参照）や、両面テープまたは糊引き等による接着や、熱溶着などが行われている。
【特許文献１】特開平１１−１５１９９４号公報
【発明の開示】
【発明が解決しようとする課題】
【０００３】
しかしながら、上記した従来の吸音材の取付構造には、クリップや両面テープや糊などの部品費がかかったり、接着に手間や時間がかかったり、熱溶着の場合には必要な設備が大掛かりになる等の問題があった。
【課題を解決するための手段】
【０００４】
上記課題を解決するために、請求項１に記載された発明では、内装パネル部材の裏面側に吸音材を当接状態で取付ける吸音材取付構造において、吸音材にスリット部を形成すると共に、内装パネル部材の裏面側に、スリット部と対応してスリット部内へ挿入可能な縦リブ部を立設し、該縦リブ部の先端部に吸音材を係止可能な横リブ部を設けた吸音材取付構造を特徴としている。
【発明の効果】
【０００５】
請求項１の発明によれば、内装パネル部材の裏面側に吸音材を当接状態で取付ける吸音材取付構造において、吸音材にスリット部を形成すると共に、内装パネル部材の裏面側に、スリット部と対応してスリット部内へ挿入可能な縦リブ部を立設し、該縦リブ部の先端部に吸音材を係止可能な横リブ部を設けたので、縦リブ部に吸音材のスリット部を通して横リブ部で吸音材を係止させるようにすることにより、コストを掛けることなくしかも容易に吸音材を取付けることが可能となる。
【発明を実施するための最良の形態】
【０００６】
以下、本発明を具体化した実施例について、図示例と共に説明する。
【実施例】
【０００７】
図１〜図１７は、この発明の実施例およびその変形例を示すものである。
【０００８】
まず、構成について説明する。自動車などの車両には、車室内の前部にインストルメントパネルなどの内装パネル部材１が設けられている。このような内装パネル部材１に対し、その裏面側に不織布やフェルト等の吸音材２を当接状態で取付けるようにする。なお、この吸音材２は、通常、１０ｍｍ〜１５ｍｍ程度の厚みを有している（以上図１、図２参照、なお、図１、図２では、吸音材２の取付状態を示しているため、使用状態とは上下が逆となっている。）。
【０００９】
この実施例では、図１、図２に示すように、吸音材２にスリット部３を形成する。そして、内装パネル部材１の裏面側に、吸音材取付部４として、スリット部３と対応してスリット部３内へ挿入可能な縦リブ部５を立設する。更に、吸音材取付部４として、縦リブ部５の先端部に吸音材２を係止可能な横リブ部６を設けるようにする。
【００１０】
なお、吸音材２が小さい場合には、スリット部３は１本としても良いが、吸音材２が有る程度の大きさを有している場合には、取付けの安定性を考慮してスリット部３は複数本設けるようにする。この場合には、スリット部３は、吸音材２の両側部に沿って平行に２本設けられている。スリット部３は、吸音材２の両側部との間、および、吸音材２の両端部との間に、所要の余裕代を有して設けられている。
【００１１】
スリット部３の両端部は、亀裂防止用として、図３に示すようなストップホール７を設けるようにしても良い。或いは、スリット部３の両端部に、亀裂防止用として、図４に示すような短い横スリット８を設けて全体をＩ字状などとなるようにしても良い。
【００１２】
また、縦リブ部５も、吸音材２やスリット部３の本数に応じて、１本または複数本とすることができる。縦リブ部５は、基本的には、吸音材２の厚みとほぼ等しい高さか、それよりも若干低い高さ等とする。この場合には、例えば、１０ｍｍ〜１５ｍｍ程度の厚みの吸音材２に対して、縦リブ部５の高さは、８ｍｍ〜１０ｍｍ程度等としている。また、縦リブ部５の付根部分には、成形による表面側のヒケ防止用として、図２に示すような薄肉部９を形成するようにしても良い。縦リブ部５は、吸音材２の縦方向や横方向や斜方向などの方向に自由に延設することができる。縦リブ部５は、スリット部３とほぼ等しいか若干短い長さに形成する。
【００１３】
そして、横リブ部６は、縦リブ部５のほぼ全長に亘って設けるようにするのが好ましい。横リブ部６は、基本的には、縦リブ部５に対してほぼ直角に形成されるようにする。これにより、横リブ部６で吸音材２の表面をほぼ平行に押さえて、内装パネル部材１との間で吸音材２を部分的に軽圧縮状態で挟着し得るようにする。但し、図５に示すように、横リブ部６を若干傾斜させて吸音材２の表面を部分的に異なる圧縮状態で挟着し得るようにしても良い。
【００１４】
なお、縦リブ部５が２本設けられている場合には、横リブ部６の折曲方向は、外れ難さを考慮して、図１、図２に示すように外向きとしたり、図６に示すように内向きとしたりすることができる。或いは、入れ易さを考慮して、図７に示すように同じ向きとすることもできる。また、図８に示すように縦リブ部５を平行ではなく、ハ字状などとすることもできる。この場合には、吸音材２のスリット部３もハ字状とする。横リブ部６の折曲方向は、外向き以外でも良い。
【００１５】
また、縦リブ部５が３本設けられている場合には、例えば、両端の縦リブ部５に対して、上記と同様の折曲方向へ向けて横リブ部６を設けるようにする。そして、真中の縦リブ部５については、図９、図１０に示すように両側へ延びるＴ字状としたり、図１１に示すように矢印状としたりすることができる。なお、真中の縦リブ部５については、両端の縦リブ部５よりも若干短くしても良い。
【００１６】
そして、縦リブ部５が４本以上設けられるような場合には、特に図示しないが、上記を適宜組合せるなどして対応する。
【００１７】
また、横リブ部６の表面側に、図９、図１０に示すように、先細りの挿入ガイドリブ部１１を設けることもできる。この場合、この挿入ガイドリブ部１１は、その面が縦リブ部５および横リブ部６と直交する方向へ向けられている。なお、この場合、横リブ部６が３本有るうちの全ての両端部に対して挿入ガイドリブ部１１が設けられているが、これに限るものではない。また、挿入ガイドリブ部１１は、中央の縦リブ部５の延長線方向へ向かって傾斜されているが、これに限るものではない。なお、上記した図１１の矢印状の横リブ部６も挿入ガイドリブ部１１と同様の挿入ガイド機能を有している。
【００１８】
更に、隣接する縦リブ部５の間に対し、図１２、図１３に示すように、ズレ止め用の突条１５を設けるようにしても良い。この場合、突条１５は、内装パネル部材１の肉厚程度の高さのものが、内装パネル部材１の肉厚程度の間隔を有して縦リブ部５と平行に複数本設けられている。なお、突条１５は、縦リブ部５と平行でない方向へ向けて設けることもできる。この場合、突条１５は、吸音材２に食い込むこととなる。
【００１９】
また、図１４または図１５に示すように、突条１５とは別に、或いは、突条１５に加えて、隣接する縦リブ部５の内側部分の長手方向ほぼ中央部から内方へ向けてズレ止め用のリブ部１８を設けるようにしても良い。
【００２０】
なお、図１４のズレ止め用のリブ部１８（１８ａ）は、内装パネル部材１の面と平行な平面視ほぼ矩形状の突起とされている。このリブ部１８は、縦リブ部５の高さ方向の中央部よりも若干先端部寄りの位置に、縦リブ部５の長さのほぼ１／３程度の長さで設けられている。この場合、リブ部１８は、吸音材２に食い込むこととなる。
【００２１】
また、図１５のズレ止め用のリブ部１８（１８ｂ）は、縦リブ部５の付根部分を頂角とし、縦リブ部５の内側面と内装パネル部材１とに沿う辺を直交する２辺とする側面視ほぼ直角三角形状とされている。このリブ部１８は、後述するような補強リブ１９としても機能する。この場合には、吸音材２の側にも、三角形状のリブ部１８を収容可能な横スリット部３ａを、スリット部３の対応する位置に対して設けるようにすることもできる。
【００２２】
或いは、縦リブ部５と横リブとの間に対し、図１６、図１７に示すように、ズレ止め用のリブ部１８（１８ｃ）としても機能する補強リブ１９を設けることもできる。この補強リブ１９は、縦リブ部５の外側部分の長手方向ほぼ中央部に設けられている。この補強リブ１９は、縦リブ部５の先端側に頂角を有し、縦リブ部５の内側面と横リブ部６の裏面とに沿う辺を直交する２辺とする側面視ほぼ逆直角三角形状を呈している。この場合には、吸音材２の側にも、補強リブ１９を収容可能な横スリット部３ｂを、スリット部３の対応する位置に対して設けるようにすることもできる。
【００２３】
加えて、図１４、図１５に示すように、横リブ部６の表面に、ハーネスクリップ２１などを設けることができる。このハーネスクリップ２１は、例えば、内向きに湾曲または屈曲された一対の弾性係止爪片２２を、ハーネス２３を収容保持可能な所要の間隔を有して対向配置したものである。
【００２４】
なお、上記した各変形例については、図示以外の組合せが可能であることは勿論である。
【００２５】
次に、この実施例の作用について説明する。
【００２６】
内装パネル部材１の裏面側に、吸音材２を取付ける場合には、吸音材２に形成されたスリット部３を広げて、内装パネル部材１の裏面側から立設された縦リブ部５へ通し、縦リブ部５の先端部に設けられた横リブ部６で吸音材２の表面を係止させるようにする。これにより、クリップや両面テープや糊などの部品や道具などを使用することなく、手間や時間をかけることなく、大掛かりな設備を用いることなく、簡単に吸音材２を取付けることが可能となる。
【００２７】
このように、この実施例によれば、内装パネル部材１の裏面側に吸音材２を当接状態で取付ける吸音材取付構造において、吸音材２にスリット部３を形成すると共に、内装パネル部材１の裏面側に、スリット部３と対応してスリット部３内へ挿入可能な縦リブ部５を立設し、縦リブ部５の先端部に吸音材２を係止可能な横リブ部６を設けたので、縦リブ部５に吸音材２のスリット部３を通して横リブ部６で吸音材２を係止させるようにすることにより、コストを掛けることなくしかも容易に吸音材２を取付けることが可能となる。
【００２８】
また、スリット部３の両端部に、図３に示すようなストップホール７を設けたり、図４に示すような短い横スリット８を設けて全体をＩ字状などとしたりすることにより、有効に亀裂防止を行わせることができる。
【００２９】
そして、縦リブ部５を吸音材２の厚みとほぼ等しい高さか、それよりも若干低い高さ等とすることにより、吸音材２を、無圧縮状態または軽圧縮状態で取付けることができるので、吸音材２の取付けが容易であると共に、吸音材２の機能を損わずに取付けることができる。また、縦リブ部５の付根部分に図２に示すような薄肉部９を形成することにより、成形による表面側のヒケを防止することができる。縦リブ部５を、吸音材２の縦方向や横方向や斜方向などに延設することにより、状況に応じて最適な押さえ効果を得ることができる。
【００３０】
更に、横リブ部６を、縦リブ部５のほぼ全長に亘って設けることにより、吸音材２をより広い面積で支持することができ、吸音材２の取付状態を安定させることができる。横リブ部６を、縦リブ部５に対してほぼ直角にすることにより、横リブ部６で吸音材２の表面をほぼ平行に押さえて、内装パネル部材１との間で吸音材２を部分的に軽圧縮状態で挟着することができる。または、図５に示すように、横リブ部６を若干傾斜させることにより、吸音材２の表面を部分的に異なる圧縮状態で挟着・保持することができる。
【００３１】
そして、縦リブ部５が２本設けられている場合に、横リブ部６の折曲方向を、図１、図２に示すように外向きとしたり、図６に示すように内向きとしたりすることにより、吸音材２が外れ難くなるようにすることができる。或いは、横リブ部６の折曲方向を、図７に示すように同じ向きとすることにより、スリット部３へ入れ易くすることができる。また、図８に示すように縦リブ部５を平行ではなく、ハ字状などとすることにより、縦方向と横方向の両方向に対する押さえ効果を同時に得ることができる。
【００３２】
更に、縦リブ部５を３本設けることにより、より面積の広い吸音材２を、中だるみ起こさせずに取付けることができる。この際、真中の縦リブ部５の横リブ部６を、図９、図１０に示すように両側へ延びるＴ字状としたり、図１１に示すように矢印状としたりすることがにより、両隣の縦リブ部５の横リブ部６と折曲方向を合せることができる。
【００３３】
そして、縦リブ部５を４本以上設けことにより、更に面積の広い吸音材２を、中だるみ起こさせずに取付けることができる。
【００３４】
更に、横リブ部６表面側の両端部に対して、図９、図１０に示すように、先細りの挿入ガイドリブ部１１を設けることや、図１１に示すような矢印状の横リブ部６とすることにより、スリット部３に対する挿入ガイドを行わせることができる。
【００３５】
そして、隣接する縦リブ部５の間に対し、図１２、図１３に示すように、ズレ止め用の突条１５を設けることにより、走行中などに吸音材２がズレるのを効果的に防止することができる。
【００３６】
更に、図１４または図１５に示すように、突条１５とは別に、或いは、突条１５に加えて、隣接する縦リブ部５の内側部分の長手方向ほぼ中央部から内方へ向けてズレ止め用のリブ部１８を設けることにより、走行中などに吸音材２がズレるのを有効に防止することができる。
【００３７】
そして、図１５、図１６に示すように、縦リブ部５に対して補強リブ１９を設けることにより、縦リブ部５を効果的に補強することが可能である。
【００３８】
更に、ハーネスクリップ２１を設けることにより、吸音材２の表面に沿ってハーネスを配索することが可能となると共に、ハーネスによって吸音材２を軽く押さえさせることができる。
【００３９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００４０】
【図１】本発明の実施例にかかる吸音材取付構造の分解斜視図である。
【図２】図１の側方断面図である。
【図３】ストップホールを有するスリット部の平面図である。
【図４】横スリットを有するスリット部の平面図である。
【図５】横リブ部を傾斜させた場合の部分側方断面図である。
【図６】横リブ部を内向きとした場合の分解斜視図である。
【図７】横リブ部の向きを同じとした場合の分解斜視図である。
【図８】縦リブ部をハ字状に配置した場合の分解斜視図である。
【図９】縦リブ部を３本配置した場合の分解斜視図である。
【図１０】図９の側方断面図である。
【図１１】矢印状の横リブ部を有する場合の図９と同様の分解斜視図である。
【図１２】縦リブ部間に突条を有する場合の図１と同様の分解斜視図である。
【図１３】図１２の側方断面図である。
【図１４】ズレ止め用のリブ部を有する場合の図１２と同様の分解斜視図である。
【図１５】別のズレ止め用のリブ部を有する場合の図１２と同様の分解斜視図である。
【図１６】補強リブおよびハーネスクリップを有する場合の図１２と同様の分解斜視図である。
【図１７】図１６の部分拡大側面図である。
【符号の説明】
【００４１】
１    内装パネル部材
２    吸音材
３    スリット部
４    吸音材取付部
５    縦リブ部
６    横リブ部
【図１】
2008049721.tif 000003
【図２】
2008049721.tif 000004
【図３】
2008049721.tif 000005
【図４】
2008049721.tif 000006
【図５】
2008049721.tif 000007
【図６】
2008049721.tif 000008
【図７】
2008049721.tif 000009
【図８】
2008049721.tif 000010
【図９】
2008049721.tif 000011
【図１０】
2008049721.tif 000012
【図１１】
2008049721.tif 000013
【図１２】
2008049721.tif 000014
【図１３】
2008049721.tif 000015
【図１４】
2008049721.tif 000016
【図１５】
2008049721.tif 000017
【図１６】
2008049721.tif 000018
【図１７】
2008049721.tif 000019